【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
内視鏡に設けられ、第１の流体を送る第１の流体管と、
前記第１の流体管とともに内視鏡に設けられ、第２の流体を送る第２の流体管と、
前記内視鏡の挿入部の円筒形状を有する先端部に設けられ、前記第１の流体管と連通する第１の連通部、及び前記第２の流体管と連通する第２の連通部、前記第１の連通部と前記第２の連通部とを合流させた合流部を具備し、前記第１の連通部及び前記第２の連通部は屈曲した形状を有し、かつ、前記第１の連通部と前記第２の連通部との接合部分において、前記第１の連通部の中心軸、前記第２の連通部の中心軸と互いに異なる平面に中心軸が存在する構造を有する合流管と、
を備えたこと特徴とする送気送液装置。
【請求項２】
請求項１に記載の送気送液装置において、
前記合流管は、前記合流部の中心軸が、前記第１の連通部の前記合流部と反対側の基端側における中心軸、及び前記第２の連通部の前記合流部と反対側の基端側における中心軸と平行となる構造を有することを特徴とする送気送液装置。
【請求項３】
請求項１に記載の送気送液装置において、
前記合流管は、前記合流部の中心軸が、前記第１の連通部の基端側における中心軸と所定の角度をなす斜め方向となる構造を有するとともに、前記第２の連通部の基端側における中心軸と所定の角度をなす斜め方向となる構造を有することを特徴とする送気送液装置。
【請求項４】
請求項３に記載の送気送液装置において、
前記合流管は、前記第１の連通部の基端側における中心軸と、前記第２の連通部の基端側における中心軸と、が所定の角度をなす斜め方向となる構造を有することを特徴とする送気送液装置。
【請求項５】
請求項１乃至４のいずれかに記載の送気送液装置において、
前記第２の連通部は、前記第１の連通部をはさんで前記第１の連通部との接合部の反対側に基端側の端が配置されることを特徴とする送気送液装置。
【請求項６】
内視鏡に設けられ、第１の流体を送る第１の流体管と、
前記第１の流体管とともに内視鏡に設けられ、第２の流体を送る第２の流体管と、
前記内視鏡の挿入部の円筒形状を有する先端部に設けられ、前記第１の流体管と連通する第１の連通部、及び前記第２の流体管と連通する第２の連通部、前記第１の連通部と共通の中心軸を有し、前記第１の連通部と前記第２の連通部とを合流させた合流部を具備する合流管と、
を備え、
前記第２の連通部は、前記第１の連通部との接合面を有し、前記第１の連通部の周方向の成分を有する方向に屈曲させた形状を有する屈曲形状部と、
前記屈曲形状部と連通し、前記第１の連通部と平行に配置された直管形状部と、
を含むことを特徴とする送気送液装置。
【請求項７】
請求項６に記載の送気送液装置において、
前記合流管は、前記第１の連通部と前記第２の連通部との接合面におけるだ円形状の縁部の二点を結ぶ線分のうち最長の線分、及び前記第１の連通部の中心軸が存在する面に、前記第２の連通部の中心軸が存在しない構造を有することを特徴とする送気送液装置。
【請求項８】
請求項６又は７に記載の送気送液装置において、
前記第２の連通部は、第１の連通部との接合面における中心軸が、当該接合面における法線の方向とずれている構造を有することを特徴とする送気送液装置。
【請求項９】
請求項１乃至８のいずれかに記載の送気送液装置において、
前記先端部は、基端側の面に開口を有し、前記合流管の形状に対応する形状を有する第１の凹部が設けられることを特徴とする送気送液装置。
【請求項１０】
請求項９に記載の送気送液装置において、
前記先端部は、先端面に開口が設けられ、円筒形状を有し、前記第１の凹部と連通する第２の凹部が設けられることを特徴とする送気送液装置。
【請求項１１】
請求項９に記載の送気送液装置において、
前記先端部は、側面に開口が設けられ、円筒形状を有し、前記第１の凹部と連通する第２の凹部が設けられることを特徴とする送気送液装置。
【請求項１２】
請求項１０に記載の送気送液装置において、
前記第２の凹部は、前記先端面に第１の流体及び前記第２の流体を供給するためのノズル部が配設されることを特徴とする送気送液装置。
【請求項１３】
請求項１乃至１２のいずれかに記載の送気送液装置において、
前記先端部と連結される軟性部を備え、
前記第１の流体管及び前記第２の流体管は、前記軟性部の内部に配置される部分は可塑性を有する部材を用いたチューブにより構成されることを特徴とする送気送液装置。
【請求項１４】
請求項１０又は１２に記載の送気送液装置において、
前記先端面は、前記先端部の中心軸と所定の角度をなす斜め方向であることを特徴とする送気送液装置。
【手続補正２】
【補正対象書類名】明細書
【補正対象項目名】０００９
【補正方法】変更
【補正の内容】
【０００９】
上記目的を達成するために、本発明に係る送気送液装置は、内視鏡に設けられ、第１の流体を送る第１の流体管と、前記第１の流体管とともに内視鏡に設けられ、第２の流体を送る第２の流体管と、前記内視鏡の挿入部の円筒形状を有する先端部に設けられ、前記第１の流体管と連通する第１の連通部、及び前記第２の流体管と連通する第２の連通部、前記第１の連通部と前記第２の連通部とを合流させた合流部を具備し、前記第１の連通部及び前記第２の連通部は屈曲した形状を有し、かつ、前記第１の連通部と前記第２の連通部との接合部分において、前記第１の連通部の中心軸、前記第２の連通部の中心軸と互いに異なる平面に中心軸が存在する構造を有する合流管と、を備えたことを特徴とする。
【手続補正３】
【補正対象書類名】明細書
【補正対象項目名】００２３
【補正方法】変更
【補正の内容】
【００２３】
図１に図示した操作部１０に設けられた送気送液ボタン１６を操作すると、前記した送気チューブ、送液チューブ、送気管路、及び送液管路を介して送気送液ユニット４０から空気又は水（洗浄用流体）が選択的に送出される。そして、この送気送液ユニット４０から送出された空気又は水がノズル５８の噴出口から観察窓５０に向けて噴出される。観察窓５０を洗浄するときは、まず、ノズル５８から水を噴出させ、その後、空気を噴出させる。これにより、まず、水で観察窓５０が洗浄され、その洗浄後に観察窓５０上に残存する水滴を空気で吹き飛ばして除去することができる。
【手続補正４】
【補正対象書類名】明細書
【補正対象項目名】００２７
【補正方法】変更
【補正の内容】
【００２７】
一方、対物光学系１０３の配設位置の図３における先端部２６の中心側には、ノズル５８（図２参照）が配設されるノズル配設部１０９ａと、合流管（図３中不図示、図４に符号１１０を付して図示）が配設される合流管配設部１０９ｂが形成されている。ノズル配設部１０９ａは、先端面２６ａに形成された略円形の開口１０９ｃから先端部２６の中心軸の方向に沿う凹部となっている。
【手続補正５】
【補正対象書類名】明細書
【補正対象項目名】００４６
【補正方法】変更
【補正の内容】
【００４６】
しかし、湾曲部２４においてワイヤ１４２の近く（湾曲部の内周面近傍の位置）に送気チューブ１１６や送液チューブ１１８が配置されると、ワイヤ１４２が引っ張られたときに送気チューブ１１６や送液チューブ１１８を内側に押してしまうので、従来は固定部１４０ａ〜１４０ｄの位置をずらして、送気チューブ１１６や送液チューブ１１８とワイヤ１４２が干渉しないようにワイヤ１４２の位置をずらしていた。かかる構成では、特定の方向へのアングル操作のバランスが悪くなる懸念があった。
【手続補正６】
【補正対象書類名】明細書
【補正対象項目名】００４７
【補正方法】変更
【補正の内容】
【００４７】
本例に示す合流管１１０を適用することで、固定部１４０ａ〜１４０ｄの位置をずらすことなく最適配置したまま、送気管路１１２の送気チューブ１１６との接合部や、送液管路１１４の送液チューブ１１８との接合部の配置を適宜変更することができるので、送気チューブ１１６及び送液チューブ１１８が最適配置されるとともに、ワイヤ１４２を最適配置することができる。
【手続補正７】
【補正対象書類名】明細書
【補正対象項目名】００５０
【補正方法】変更
【補正の内容】
【００５０】
図１４は、第２実施形態に係る内視鏡の送気送液装置に具備される合流管２１０の斜視図であり、図１５（ａ）は、合流管２１０を合流部２１５の軸方向と略直交する面における先端側から見た断面形状を模式的に示す図である。また、図１５（ｂ）は、図１５（ａ）中Ｄ‐Ｄ線に沿う断面図である。図１４に示す合流管２１０は、合流部２１５と同一方向に形成された略直線形状を有する送気管路２１２と、屈曲形状を有する送液管路２１４とを含んでいる。送液管路２１４は、送気管路２１２との接合部から屈曲した形状を有する屈曲形状部２１４ａと、屈曲形状部２１４ａと連通する略直線形状を有する直線形状部２１４ｂとを含んでいる。
【手続補正８】
【補正対象書類名】明細書
【補正対象項目名】００５２
【補正方法】変更
【補正の内容】
【００５２】
図１５（ａ）に示す右下の円は、送気管路２１２及び合流部２１５の先端側における断面形状であり、その真上の円は送液管路２１４の屈曲形状部２１４ａの屈曲方向が変わる位置における断面形状である。また、合流部２１５及び送液管路２１４の図中左側の円は、直線形状部２１４ｂの基端側における断面形状である。
【手続補正９】
【補正対象書類名】明細書
【補正対象項目名】００５３
【補正方法】変更
【補正の内容】
【００５３】
図１５（ｂ）に示す送気管路２１２と送液管路２１４との境界面２２０に着目すると、該境界面２２０の外縁を送気管路２１２の中心軸２１２ｃの方向に投影した形状は略だ円となる（破線にて図示）。送気管路２１２の中心軸２１２ｃと平行なだ円を考えたときに、境界面２２０の外縁上の二点を結ぶ線分のうち長さが最長となるもの（符号２２２を付して太破線により図示）は、Ｄ‐Ｄ断面に存在している。
【手続補正１０】
【補正対象書類名】明細書
【補正対象項目名】００６６
【補正方法】変更
【補正の内容】
【００６６】
図１９は、第２変形例に係る先端部５２６の構造を示す断面図であり、一部の構成の図示が省略されている。同図に示す先端部５２６は、先端面５２６ａが傾斜しており、この傾斜した先端面５２６ａにノズル５５８及び観察窓５５０等が設けられている。かかる構造を有する先端部５２６は、先端面５２６ａと略直交する方向に沿って合流管５１０が挿入されており、合流管５１０は途中で屈曲して、先端部５２６の軸方向と略平行となる。すなわち、合流部５１５の中心軸５１５ｃの方向は先端面５２６ａと略直交方向であり、送気管路５１２及び送液管路５１４の基端側は、先端部５２６の軸方向と略平行である。なお、図２０に示すように、ノズル５５８の開口５０９ｃの方向を先端面５２６ａに対して斜め方向（先端部５２６の中心軸方向と略直交方向）としてもよい。
【手続補正１１】
【補正対象書類名】明細書
【補正対象項目名】００７２
【補正方法】変更
【補正の内容】
【００７２】
（発明１）：内視鏡に設けられ、第１の流体を送る第１の流体管と、前記第１の流体管とともに内視鏡に設けられ、第２の流体を送る第２の流体管と、前記内視鏡の挿入部の円筒形状を有する先端部に設けられ、前記第１の流体管と連通する第１の連通部、及び前記第２の流体管と連通する第２の連通部、前記第１の連通部と前記第２の連通部とを合流させた合流部を具備し、前記第１の連通部及び前記第２の連通部は屈曲した形状を有し、かつ、前記第１の連通部と前記第２の連通部との接合部分において、前記第１の連通部の中心軸、前記第２の連通部の中心軸と互いに異なる平面に中心軸が存在する構造を有する合流管と、を備えたことを特徴とする。
【手続補正１２】
【補正対象書類名】明細書
【補正対象項目名】００７６
【補正方法】変更
【補正の内容】
【００７６】
（発明２）：発明１に記載の送気送液装置において、前記合流管は、前記合流部の中心軸が、前記第１の連通部の前記合流部と反対側の基端側における中心軸、及び前記第２の連通部の前記合流部と反対側の基端側における中心軸と平行となる構造を有することを特徴とする。
【手続補正１３】
【補正対象書類名】明細書
【補正対象項目名】００８２
【補正方法】変更
【補正の内容】
【００８２】
（発明６）：内視鏡に設けられ、第１の流体を送る第１の流体管と、前記第１の流体管とともに内視鏡に設けられ、第２の流体を送る第２の流体管と、前記内視鏡の挿入部の円筒形状を有する先端部に設けられ、前記第１の流体管と連通する第１の連通部、及び前記第２の流体管と連通する第２の連通部、前記第１の連通部と共通の中心軸を有し、前記第１の連通部と前記第２の連通部とを合流させた合流部を具備する合流管と、を備え、前記第２の連通部は、前記第１の連通部との接合面を有し、前記第１の連通部の周方向の成分を有する方向に屈曲させた形状を有する屈曲形状部と、前記屈曲形状部と連通し、前記第１の連通部と平行に配置された直管形状部と、を含むことを特徴とする。
【手続補正１４】
【補正対象書類名】明細書
【補正対象項目名】００８４
【補正方法】変更
【補正の内容】
【００８４】
（発明７）：発明６に記載の送気送液装置において、前記合流管は、前記第１の連通部と前記第２の連通部との接合面におけるだ円形状の縁部の二点を結ぶ線分のうち最長の線分、及び前記第１の連通部の中心軸が存在する面に、前記第２の連通部の中心軸が存在しない構造を有することを特徴とする。
【手続補正１５】
【補正対象書類名】明細書
【補正対象項目名】００９０
【補正方法】変更
【補正の内容】
【００９０】
（発明１０）：発明９に記載の送気送液装置において、前記先端部は、先端面に開口が設けられ、円筒形状を有し、前記第１の凹部と連通する第２の凹部が設けられることを特徴とする。
【手続補正１６】
【補正対象書類名】明細書
【補正対象項目名】００９２
【補正方法】変更
【補正の内容】
【００９２】
（発明１１)：発明９に記載の送気送液装置において、前記先端部は、側面に開口が設けられ、円筒形状を有し、前記第１の凹部と連通する第２の凹部が設けられることを特徴とする。
【手続補正１７】
【補正対象書類名】明細書
【補正対象項目名】００９３
【補正方法】変更
【補正の内容】
【００９３】
（発明１２）：発明１０に記載の送気送液装置において、前記第２の凹部は、前記先端面に第１の流体及び前記第２の流体を供給するためのノズル部が配設されることを特徴とする。
【手続補正１８】
【補正対象書類名】明細書
【補正対象項目名】００９８
【補正方法】変更
【補正の内容】
【００９８】
（発明１４）：発明１０又は１１に記載の送気送液装置において、前記先端面は、前記先端部の中心軸と所定の角度をなす斜め方向であることを特徴とする。